(57)【要約】【課題】眼科検査機器からの検査データを電子カルテ等の情報システムに取り込む場合に、眼科検査機器毎にコンピュータを並設する必要がないようにする。【解決手段】眼科検査機器と結線するための第１接続端子２と、コンピュータと結線するための第２接続端子３と、外部入力装置と結線するための第３接続端子４がケーシング１に備えられる。ケーシング内の回路基板上には、第１接続端子を通じて眼科検査機器とデータ通信を行う第１通信インターフェイス部と、第２接続端子を通じてコンピュータとデータ通信を行う第２通信インターフェイス部と、第３接続端子を通じて外部入力装置からの付加データの入力を受ける入力インターフェイス部と、第１通信インターフェイス部で受信した検査データを、入力インターフェイス部で受けた付加データと一緒に、第２通信インターフェイス部を通じてコンピュータに送信する検査データ処理制御部が設けられる。【選択図】図１
2004073308.tif 000002
【特許請求の範囲】
【請求項１】
眼科検査機器と、前記眼科検査機器から検査データを受信し、処理して記録するコンピュータとの間に接続され、前記眼科検査機器から検査データを受信し、その検査データを、外部入力装置から入力された関係する付加データと一緒に前記コンピュータに送信するためのユニットであって、
ケーシングと、
前記ケーシングの外面に配置された、前記眼科検査機器と結線するための少なくとも１つの第１接続端子と、
前記ケーシングに格納された回路基板上に設けられ、前記第１接続端子を通じて前記眼科検査機器とデータ通信を行う第１通信インターフェイス部と、
前記ケーシングの外面に配置された、前記コンピュータと結線するための少なくとも１つの第２接続端子と、
前記回路基板上に設けられ、前記第２接続端子を通じて前記コンピュータとデータ通信を行う第２通信インターフェイス部と、
前記ケーシングの外面に配置された、前記外部入力装置と結線するための少なくとも１つの第３接続端子と、
前記回路基板上に設けられ、前記第３接続端子を通じて前記外部入力装置からの付加データの入力を受ける入力インターフェイス部と、
前記回路基板上に設けられ、前記第１通信インターフェイス部で受信した前記眼科検査機器からの検査データを、前記入力インターフェイス部で受けた前記外部入力装置からの付加データと一緒に、前記第２通信インターフェイス部を通じて前記コンピュータに送信する検査データ処理制御部と、
前記ケーシングに取り付けられた液晶ディスプレイと、を有しており、
前記コンピュータは、前記検査データ処理制御部から検査データおよび関係する付加データを受信したとき、それらのデータを所定のフォーマットに加工し、加工後のデータを一時的に保持すると同時に前記検査データ処理制御部に送信し、前記検査データ処理制御部は、前記コンピュータから前記加工後のデータを受信したとき、受信したデータを前記液晶ディスプレイに表示するようになっており、さらに、
前記液晶ディスプレイに表示した前記加工後のデータの前記コンピュータへの記録に対する確認の入力を受けるためのデータ記録確認入力部を有しており、
前記検査データ処理制御部は、前記データ記録確認入力部において確認の入力を受けたとき、前記コンピュータに対してデータ記録命令を送信し、前記コンピュータは前記データ記録命令を受信したとき、前記一時的に保持した加工後のデータを記録するようになっていることを特徴とする眼科検査機器用データ処理ユニット。
【請求項２】
前記検査データ処理制御部は、前記前記外部入力装置から付加データを受けたとき、前記付加データを前記液晶ディスプレイに表示するようになっていることを特徴とする請求項１に記載の眼科検査機器用データ処理ユニット。
【請求項３】
前記第１通信インターフェイス部は、シリアルポートを有し、前記第２通信インターフェイス部は、シリアルポートまたはＬＡＮポートのうちの少なくとも１つを有していることを特徴とする請求項１または請求項２に記載の眼科検査機器用データ処理ユニット。
【請求項４】
前記外部入力装置は、バーコードリーダおよびキーボードおよび磁気カードリーダのうちの少なくとも１つからなっていることを特徴とする請求項１〜請求項３のいずれかに記載の眼科検査機器用データ処理ユニット。
【請求項５】
前記データ記録確認入力部は、前記ケーシングの外面に配置されたデータ記録確認ボタンを備えていることを特徴とする請求項１〜請求項４のいずれかに記載の眼科検査機器用データ処理ユニット。
【発明の詳細な説明】
【０００１】
【発明の属する技術分野】
本発明は、眼科検査機器、および眼科検査機器から出力される検査データを処理するためのコンピュータの間に接続され、検査データの中間処理を行うためのユニットに関するものである。
【０００２】
【従来の技術】
眼科の分野においては、これまで、屈折計や眼圧計等の眼科検査機器による検査がなされると、当該機器に搭載されたプリンタを通じて検査データがプリントアウトされ、プリントアウトされた用紙が被検査者のカルテに貼り付けられていた。
【０００３】
一方、近年、眼科の診療内容を電子情報として一元管理するべく、電子カルテ等の情報システムが導入されるようになり、眼科検査機器による検査データをコンピュータに取り込み、データ処理することが行われるようになってきている。
【０００４】
そして、眼科検査機器のシリアルポートとコンピュータとがケーブルによって接続され、眼科検査機器から出力される検査データがケーブルを通じてコンピュータに入力されるようになっている。この場合、従来の殆どの眼科検査機器は、検査を受ける被検査者の識別情報等を入力するためのキーボード等の入力装置を備えておらず、よって、これらの眼科検査機器から出力されるデータは、生の検査データのみで、被検査者の識別情報は一切含まれていない。
【０００５】
このため、眼科検査機器から出力される検査データを電子カルテ等の情報システムに取り込む場合、眼科検査機器からの検査データを一旦コンピュータに取り込んだ後、取り込んだデータに対して、コンピュータに備えられたキーボード等の入力装置を用いて、被検査者の識別情報を追加することがこれまでになされている。
【０００６】
ところが、この場合、眼科検査機器とコンピュータとは並べて配置されるのが常であった。というのは、データの入力ミスを防止するべく、検査がなされたその場で検査データに検査を受けた被検査者の識別情報を加入する必要があり、また、検査データや入力されたデータが正しいかどうかを確認する必要があるので、眼科検査機器のすぐ横にコンピュータの入力装置およびディスプレイを配置しなければならないからである。
【０００７】
しかしながら、このように、眼科検査機器およびコンピュータを並べて配置すると、眼科検査機器の１台毎にコンピュータを１台並べて配置しなければならず、眼科検査機器の設置のための大きなスペースが必要になるという問題を生じていた。また、１台のコンピュータに複数の眼科検査機器を接続し、１台のコンピュータでこれらの眼科検査機器を一元管理することによって十分に対応可能であるにもかかわらず、眼科検査機器毎にコンピュータを準備するのは、コスト的に不利であるという問題を生じていた。
【０００８】
【発明が解決しようとする課題】
したがって、本発明の課題は、眼科検査機器から出力される検査データを電子カルテ等の情報システムに取り込む場合に、眼科検査機器毎にコンピュータを準備し、眼科検査機器に並べて配置する必要がないようにすることにある。
【０００９】
【課題を解決するための手段】
上記課題を解決するため、本発明によれば、眼科検査機器と、前記眼科検査機器から検査データを受信し、処理して記録するコンピュータとの間に接続され、前記眼科検査機器から検査データを受信し、その検査データを、外部入力装置から入力された関係する付加データと一緒に前記コンピュータに送信するためのユニットであって、ケーシングと、前記ケーシングの外面に配置された、前記眼科検査機器と結線するための少なくとも１つの第１接続端子と、前記ケーシングに格納された回路基板上に設けられ、前記第１接続端子を通じて前記眼科検査機器とデータ通信を行う第１通信インターフェイス部と、前記ケーシングの外面に配置された、前記コンピュータと結線するための少なくとも１つの第２接続端子と、前記回路基板上に設けられ、前記第２接続端子を通じて前記コンピュータとデータ通信を行う第２通信インターフェイス部と、前記ケーシングの外面に配置された、前記外部入力装置と結線するための少なくとも１つの第３接続端子と、前記回路基板上に設けられ、前記第３接続端子を通じて前記外部入力装置からの付加データの入力を受ける入力インターフェイス部と、前記回路基板上に設けられ、前記第１通信インターフェイス部で受信した前記眼科検査機器からの検査データを、前記入力インターフェイス部で受けた前記外部入力装置からの付加データと一緒に、前記第２通信インターフェイス部を通じて前記コンピュータに送信する検査データ処理制御部と、前記ケーシングに取り付けられた液晶ディスプレイと、を有しており、前記コンピュータは、前記検査データ処理制御部から検査データおよび関係する付加データを受信したとき、それらのデータを所定のフォーマットに加工し、加工後のデータを一時的に保持すると同時に前記検査データ処理制御部に送信し、前記検査データ処理制御部は、前記コンピュータから前記加工後のデータを受信したとき、受信したデータを前記液晶ディスプレイに表示するようになっており、さらに、前記液晶ディスプレイに表示した前記加工後のデータの前記コンピュータへの記録に対する確認の入力を受けるためのデータ記録確認入力部を有しており、前記検査データ処理制御部は、前記データ記録確認入力部において確認の入力を受けたとき、前記コンピュータに対してデータ記録命令を送信し、前記コンピュータは前記データ記録命令を受信したとき、前記一時的に保持した加工後のデータを記録するようになっていることを特徴とする眼科検査機器用データ処理ユニットが提供される。
【００１０】
本発明の好ましい実施例によれば、前記検査データ処理制御部は、前記前記外部入力装置から付加データを受けたとき、前記付加データを前記液晶ディスプレイに表示するようになっている。
本発明の別の好ましい実施例によれば、前記第１通信インターフェイス部は、シリアルポートを有し、前記第２通信インターフェイス部は、シリアルポートまたはＬＡＮポートのうちの少なくとも１つを有している。
【００１１】
本発明のさらに別の好ましい実施例によれば、前記外部入力装置は、バーコードリーダおよびキーボードおよび磁気カードリーダのうちの少なくとも１つからなっている。
本発明のさらに別の好ましい実施例によれば、前記データ記録確認入力部は、前記ケーシングの外面に配置されたデータ記録確認ボタンを備えている。
【００１２】
【発明の実施の形態】
以下、添付図面を参照して本発明の好ましい実施例について説明する。図１は、本発明の１実施例による眼科検査機器用データ処理ユニットの斜視図であり、図２は、図１の眼科検査機器用データ処理ユニットの内部構造を示したブロック図である。図１および図２に示されるように、本発明の眼科検査機器用データ処理ユニットは、ケーシング１を有している。この実施例では、ケーシング１は直方体形状を有している。そして、ケーシング１の外面には、眼科検査機器（屈折計、眼圧計等）と結線するための少なくとも１つ（この実施例では１つ）の第１接続端子２と、コンピュータと結線するための少なくとも１つ（この実施例では１つ）の第２接続端子３と、外部入力装置と結線するための少なくとも１つ（この実施例では１つ）の第３接続端子４が配置されている。この実施例では、第１接続端子２、第２接続端子３および第３接続端子４は、ケーシングの同一側面に集中配置されている。
外部入力装置は、好ましくは、バーコードリーダおよびキーボードおよび磁気カードリーダの少なくとも１つからなっており、眼科検査機器からの検査データと一緒にコンピュータに送信すべき付加データ、例えば、被検査者の識別データ（カルテ番号やＩＤ番号等）を入力するために使用される。
【００１３】
ケーシング１内には、回路基板が格納され、この回路基板上には、図２に示されるように、第１接続端子２を通じて眼科検査機器とデータ通信を行う第１通信インターフェイス部５と、第２接続端子３を通じてコンピュータとデータ通信を行う第２通信インターフェイス部６と、第３接続端子４を通じて外部入力装置からの付加データの入力を受ける入力インターフェイス部７が設けられている。
第１通信インターフェイス部５はシリアルポートを有し、第２通信インターフェイス部６はシリアルポートまたはＬＡＮポートのうちの少なくとも１つ、この実施例ではシリアルポートを有している。また、この実施例では、第１接続端子２および第２接続端子３は、それぞれ、シリアル接続用コネクタからなっており、第３接続端子４はＰＳ／２接続用コネクタからなっている。
ケーシング１の第１〜第３接続端子２〜４が配置された側面には、さらに、本発明のユニットに電源を供給するＡＣアダプタの接続用コネクタ１１が配置されている。
【００１４】
眼科検査機器は、通常、機種毎に通信プロトコルが相違しており、異なる機種毎に異なる通信プロトコルでデータ通信を行わなければならない。このため、本発明のデータ処理ユニットの第１通信インターフェイス部５は、ユニットに接続される眼科検査機器の機種毎に対応する通信プロトコルでデータ通信を行うための通信プログラムを予め備えている。そして、第１通信インターフェイス部５は、眼科検査機器による検査に先だって、外部入力装置から入力される眼科検査機器の機種番号に対応して、あるいは眼科検査機器の機種番号に対応してなされるデータ処理ユニットのディップスイッチの設定に対応して、適合する通信プロトコルで眼科検査機器とデータ通信を行うことができるようになっている。
【００１５】
回路基板上には、また、第１通信インターフェイス部５で受信した眼科検査機器からの検査データを、入力インターフェイス部７で受けた外部入力装置からの付加データと一緒に、第２通信インターフェイス部６を通じてコンピュータに送信する検査データ処理制御部８が設けられている。
ケーシング１の第１〜第３接続端子２〜４が配置された側面に直交する側面には、液晶ディスプレイ９が取り付けられている。
【００１６】
コンピュータは、検査データ処理制御部８から検査データおよび関係する付加データを受信したとき、それらのデータを所定のフォーマットに加工し、加工後のデータを一時的に保持すると同時に検査データ処理制御部８に送信するようになっている。また、検査データ処理制御部８は、コンピュータから加工後のデータを受信したとき、受信したデータを液晶ディスプレイ９に表示する。
【００１７】
本発明の眼科検査機器用データ処理ユニットは、さらに、コンピュータから受信し、液晶ディスプレイ９に表示した加工後のデータのコンピュータへの記録に対する確認の入力を受けるためのデータ記録確認入力部１０を有している。
この実施例では、データ記録確認入力部１０は、ケーシング１の液晶ディスプレイ９が配置された面と同一の面に配置されたデータ記録確認ボタン１２を備えている。そして、検査データ処理制御部８は、データ記録確認ボタン１２の押し下げによって、データのコンピュータへの記録に対する確認の入力を受けたとき、コンピュータに対してデータ記録命令を送信し、コンピュータはデータ記録命令を受信したとき、一時的に保持した加工後のデータを記録するようになっている。
【００１８】
なお、図１中、１３は、液晶ディスプレイ９に表示された画面をスクロールさせるためのスクロールボタンである。１４ａ、１４ｂおよび１４ｄは、それぞれ、コネクタ２〜４に対する結線状態を表示するランプであり、眼科検査機器、外部入力装置およびコンピュータとのデータの送受信中に点灯する。また、１４ｃは、コネクタ１１に対する結線状態を表示するランプであり、ＡＣアダプタからの電源供給中に常時点灯する。
【００１９】
図３は、図１〜図２に示した眼科検査機器用データ処理ユニットの眼科検査機器およびコンピュータとの結線状態を示した斜視図である。図３に示されるように、本発明の眼科検査機器用データ処理ユニット１５は、通常、眼科検査機器１６が載置される作業テーブル１８上に当該眼科検査機器１６と並んで配置される。そして、眼科検査機器１６のシリアル接続用コネクタと、本発明のデータ処理ユニット１５の第１接続端子（シリアル接続用コネクタ）とがケーブル２０によって結線される。また、本発明のデータ処理ユニット１５の第２接続端子（シリアル接続用コネクタ）には、コンピュータ１７が、ケーブル２１によって結線される。さらに、本発明のデータ処理ユニット１５の第３接続端子（ＰＳ／２接続用コネクタ）には、ケーブル２２によって外部入力装置１９、例えば、バーコードリーダが結線される。
【００２０】
そして、図３のように、眼科検査機器１６およびコンピュータ１７と結線された本発明のデータ処理ユニット１５は、次のように作動する。まず最初、検査を受ける人（患者）の識別データ、例えば、カルテ番号またはＩＤ番号と、眼科検査機器１６の機種番号が、外部入力装置１９（バーコードリーダ）から入力される。入力されたカルテ番号またはＩＤ番号と、機器番号が、データ処理ユニット１５の液晶ディスプレイに表示される。
【００２１】
液晶ディスプレイの表示の確認の後、眼科検査機器１６による検査が実行される。そして、検査データが、眼科検査機器１６からケーブル２０を通じてデータ処理ユニット１５に送信される。データ処理ユニット１５は、コンピュータ１７から受信した検査データを、外部入力装置（バーコードリーダ）１９から入力されたカルテ番号またはＩＤ番号とともに、ケーブル２１を通じてコンピュータ１７に送信する。
【００２２】
コンピュータ１７は、データ処理ユニット１５から受信したデータを所定のフォーマットに加工し、ケーブル２１を通じてデータ処理ユニット１５に送信する。データ処理ユニット１５は、コンピュータ１７から受信した加工後のデータを液晶ディスプレイに表示する。液晶ディスプレイの表示の確認の後、データ処理ユニット１５のデータ記録確認ボタンが押されると、コンピュータ１７に当該加工後のデータが記録される。
【００２３】
こうして、本発明のデータ処理ユニット１５を、眼科検査機器１６とコンピュータ１７との間に配置し、このユニット１５に外部入力装置１９（バーコード等）を接続し、眼科検査機器１６から出力される検査データを、外部入力装置１９から入力される付加データ（被検査者の識別データ等）と一緒にコンピュータ１７に送り、さらには、コンピュータ１７に記録すべきデータをその記録に先立ってデータ処理ユニット１５のディスプレイに表示し、確認後、コンピュータ１７に記録するようにしたので、コンピュータ１７を眼科検査機器１６から離れた位置に配置しておき、眼科検査機器１６の近傍には、本発明のデータ処理ユニット１５を配置するだけでよい。それによって、複数台の眼科検査機器を同時に使用する場合であっても、眼科検査機器毎に本発明のデータ処理ユニットを配置するだけで、すべての眼科検査機器の検査データを単一のコンピュータで処理し、記録することができる。
【００２４】
【発明の効果】
以上のように、本発明によれば、眼科検査機器とコンピュータとの間に小型のデータ処理ユニットを配置し、データ処理ユニットにバーコードやキーボード等の外部入力装置を接続し、眼科検査機器から出力される検査データを、外部入力装置から入力した被検査者の識別データ等の関係する付加データと一緒にコンピュータに送信した後、コンピュータへのデータの記録に先立ってデータ処理ユニットのディスプレイに表示し、確認後、コンピュータに記録するようにしたので、眼科検査機器の検査データを電子カルテ等の情報システムに取り込む場合に、眼科検査機器の近傍にはデータ処理ユニットを配置しておくだけで、眼科検査機器毎にコンピュータを並設する必要がない。したがって、従来よりも、眼科検査機器の設置スペースを節約することができ、また設置コストも低減させることができる。
【図面の簡単な説明】
【図１】本発明の１実施例による眼科検査機器用データ処理ユニットの斜視図である。
【図２】図１の眼科検査機器用データ処理ユニットの内部構造を示したブロック図である。
【図３】図１の眼科検査機器用データ処理ユニットの眼科検査機器およびコンピュータとの結線状態を示した斜視図である。
【符号の説明】
１　ケーシング
２　第１接続端子（シリアル接続用コネクタ）
３　第２接続端子（シリアル接続用コネクタ）
４　第３接続端子（ＰＳ／２接続用コネクタ）
５　第１通信インターフェイス部
６　第２通信インターフェイス部
７　入力インターフェイス部
８　検査データ処理制御部
９　液晶ディスプレイ
１０　データ記録確認入力部
【図１】
2004073308.tif 000003
【図２】
2004073308.tif 000004
【図３】
2004073308.tif 000005